(57)【要約】【課題】病院，老人ホーム等の施設において、痴呆性老人がエレベーターを使用できなくして、勝手に外へ出て行くことを良好に防ぐことを目的とする。【解決手段】各階を表示する複数の押ボタン２，２，２を備えて施設のエレベーター内に設置される操作装置１は、所定の押ボタン２，２が間隔をおいて３回以上押された時のみ、その押された押ボタンの表示する階への昇降運転が行なわれるように制御設定されている。【選択図】                図１
2004149227.tif 000002
【特許請求の範囲】
【請求項１】
各階を表示する複数の押ボタンを備えて施設のエレベーター内に設置される操作装置において、
該操作装置は、所定の押ボタンが、間隔をおいて３回以上押された時のみ、該押ボタンの表示する階への昇降運転が行なわれるように制御設定されていることを特徴とする施設用エレベーターの操作装置。
【請求項２】
前記押ボタンを押す間隔には、一定の条件が設定されていることを特徴とする請求項１に記載の施設用エレベーターの操作装置。
【発明の詳細な説明】
【０００１】
【発明の属する技術分野】
この発明は、病院，老人ホーム等の施設に設置されるエレベーターの操作装置に関するものである。
【０００２】
【従来の技術】
従来、病院とか老人ホーム等の施設内には、痴呆性の老人が入居しているが、特に痴呆性老人においては、勝手にエレベーターを操作して施設の外に出て行ってしまい、町中をさまよったり、事故に合う等の危険性があり、痴呆性老人等は施設から出ないように常に監視する必要があるが、実際には２４時間、付きっきりで監視することは困難であるという問題点があった。
なお、特許公報として、特開平１０−１７２３３号公報に開示されているような、エレベーターの操作装置が存在する。
【０００３】
【特許文献１】
特開平１０−１７２３３号公報
【０００４】
【課題を解決するための手段】
本発明は上記従来の問題点に鑑み案出したものであって、痴呆性老人がエレベーターを使用できないようにして、勝手に外へ出て行くことを良好に防ぐことのできる施設用エレベーターの操作装置を提供せんことを目的とし、その第１の要旨は、各階を表示する複数の押ボタンを備えて施設のエレベーター内に設置される操作装置において、該操作装置は、所定の押ボタンが、間隔をおいて３回以上押された時のみ、該押ボタンの表示する階への昇降運転が行なわれるように制御設定されていることである。
また、第２の要旨は、前記押ボタンを押す間隔には、一定の条件が設定されていることである。
【０００５】
【発明の実施の形態】
以下、本発明の実施例を図面に基づいて説明する。
図１は、エレベーター内に設置されているエレベーター用操作装置の一例を示す正面構成図であり、エレベーター用操作装置１には、例えば８階建ての病院とか老人ホーム等では、各階を表示する８個の押ボタン２，２，２，２が設けられており、その下方には、エレベーターの扉を開ける開ボタン３、及び扉を閉じる閉ボタン４が設けられており、また上方には、各エレベーターの現在位置を示す階表示部５が設けられている。
【０００６】
通常では、８階から１階へ降りようとする時には、エレベーター内において、１階を表示する「１」の押ボタン２を１回押すと、エレベーターの扉が閉じられて、エレベーターは８階から１階に向かって下降運転が行なわれる。また、各階それぞれの押ボタン２を押すことにより、その押された押ボタンの表示する階へエレベーターが昇降運転されるものである。
【０００７】
このエレベーター用操作装置１には、エレベーターの運転を制御する制御装置が組み込まれているか、または接続されており、エレベーター用操作装置１の操作による信号が制御装置に伝達されて、制御装置を介しエレベーターを昇降運転させるモーターに駆動指令信号が送られるように構成されている。
【０００８】
このエレベーター及びエレベーター用操作装置１は、一般的なビル内等に設置される通常の装置であり、特別に病院または老人ホーム用等に設計されたものではなく、一般的な安価なエレベーター及びエレベーター用操作装置１で構成されている。
【０００９】
但、このようなエレベーター及びエレベーター用操作装置１が病院とか老人ホーム等の、特に痴呆性老人を収容する施設内に設置される場合には、エレベーターを操作するための操作装置１の操作手順を特殊な操作手順に設定して、その手順で操作が行なわれた時のみ、制御装置がこれを検知して、エレベーターの駆動モーターに駆動指令信号を発するように構成されている。
即ち、エレベーター用の制御装置の設定を変更させて、特殊な操作が行なわれた時のみにエレベーターの昇降運転が行なわれるように設定されている。
【００１０】
本例では、例えば各階を表示する押ボタン２，２は、それぞれ３回以上間隔をおいて同じ押ボタンが押された時のみ、その押された押ボタンの表示する階への昇降運転が行なわれるように制御設定されている。
従って、８階から１階へ降りる際に、８階でエレベーター内に乗り込んで、操作装置１の１階を表示する「１」の押ボタン２を間隔をおいて３回押した時のみに、エレベーターの扉が閉じて、エレベーターが１階へ向かって下降されるものであり、「１」の押ボタンを１回押したのみではエレベーターの運転は行なわれず、しかも、エレベーターの扉は開いたままの状態を維持するように設定しておくことができる。
従って、痴呆性老人等がエレベーターに乗り込んで各押ボタンを押してもエレベーターは開いたままで作動することはなく、痴呆性老人が勝手にエレベーターを操作して病院とか老人ホームの外へ出て行くことがなくなる。
【００１１】
なお、間隔をおいて３回同じ押ボタンを押さなければ作動しない旨は、病院とか施設内の職員及び掃除の人等には予め知らされており、これらの人は、間隔をおいて３回同じ押ボタン２を押すことにより、良好にエレベーターを使用することができるものである。
なお、さらには、エレベーターに乗り込んで所定時間内に同じ押ボタンを３回間隔をおいて押す操作をしない時には、警報が鳴る等の制御構成にしておくこともできる。
【００１２】
なお、本例では、間隔をおいて３回同じ押ボタンが押された時に、その押ボタンの表示する階へのエレベーターの運転が行なわれる制御構成を例示しているが、３回に限らず、間隔をおいて４回、または間隔をおいて５回、同じ押ボタン２が押された時のみに、押された押ボタンの表示する階への昇降運転が行なわれるように制御設定しておくこともでき、エレベーターを作動させるための手順の設定は定期的に変更させることができる。
【００１３】
なお、さらには、同じ押ボタンを押す間隔に一定の条件を設定しておくことができ、例えば、間隔をおいて３回同じ押ボタンが押された時のみにエレベーターが運転を開始するように設定されている場合、さらに、この押ボタンを押す間隔を、例えば、最初の２回は「トン、トン」と早く押し、３回目の間隔を長くして「トン、トン、ツー」というような押し方がされた時のみにエレベーターが作動するように構成しておくこともでき、逆に、「ツー、ツー、トン」のように、最初の２回を長い間隔で押し、３回目は早く押す等の、押す間隔に一定の条件を設定しておき、この条件で押ボタンが押された時のみに作動するように設定しておけば、特に痴呆性老人が勝手にエレベーターを使用して外へ出て行くような事故を確実に防ぐことができるものとなる。
【００１４】
なお、４回同じ押ボタンが押された時のみエレベーターの運転が開始するような設定の場合、この同じ押ボタンを４回押す間隔を、例えば「トン、トン、トン、ツー」のように、最初の３回を短い間隔で押し、最後の４回目を長い間隔で押す条件に設定しておく等、この間隔とか押ボタンを押す長さの条件は、適宜制御装置のプログラムを変更する等して容易に設定することができるものである。
【００１５】
このように特殊な押ボタン等を備えることなく、通常のエレベーターの制御を変えて、操作手順を特殊なものにすることで、痴呆性老人等のエレベーターの使用を防いで、痴呆性老人等が施設の外へ勝手に出て行く事故を良好に防ぐことができるものとなる。
【００１６】
【発明の効果】
本発明の施設用エレベーターの操作装置は、各階を表示する複数の押ボタンを備えて施設のエレベーター内に設置される操作装置において、該操作装置は、所定の押ボタンが、間隔をおいて３回以上押された時のみ、該押ボタンの表示する階への昇降運転が行なわれるように制御設定されていることにより、痴呆性老人等がエレベーターに乗り込んで１回押ボタンを押してもエレベーターは運転を開始しないため、痴呆症老人がエレベーターを使用して施設の外へ勝手に出て行くのを良好に防止できる効果を有する。
【００１７】
また、前記押ボタンを押す間隔には、一定の条件が設定されていることにより、ボタンを押す間隔に特殊な条件が付加されているため、より確実に痴呆性老人等のエレベーターの使用を防いで、痴呆性老人等が勝手に施設内から出て行くのを良好に防止できる効果を有する。
【図面の簡単な説明】
【図１】エレベーター内に設置されている操作装置の正面構成図である。
【符号の説明】
１  エレベーター用操作装置
２  押ボタン
３  開ボタン
４  閉ボタン
【図１】
2004149227.tif 000003